(57)【特許請求の範囲】
【請求項１】
遊技盤と平行状で左右方向に延びる回動軸線周りで回動可能に配置され、入賞口を閉鎖する閉鎖位置とその入賞口を開放する開放位置とに変位可能な入賞扉と、プランジャが前方側の突出位置と後方側の後退位置とに直線的に変位することにより、前記入賞扉を前記閉鎖位置と開放位置とに変位させる直線駆動型のソレノイドと、前記プランジャを前記突出位置に付勢する付勢部材と、前記入賞扉とソレノイドとの間に配置され、前記回動軸線と平行な揺動軸線周りで揺動して前記プランジャの直線的な移動を前記入賞扉の回動に変換し伝達する伝達部材と、を備える遊技機用入賞装置において、
少なくとも前記ソレノイドと伝達部材とを収容するためのベース体と、そのベース体を上下いずれかの方向から覆うカバー体とを含むケーシングを備え、
前記ベース体には、前記伝達部材と一体的に形成された揺動軸を受け入れるために前記遊技盤への取付状態にて後方側に開口する袋状の揺動軸収容部が形成され、
前記揺動軸は、後方側の開口から挿入され前記付勢部材の付勢力によって前記揺動軸収容部に収容保持され、
前記カバー体には前記揺動軸収容部の開口を塞ぐための閉塞部が形成され、
前記揺動軸を挿入後、前記ベース体を前記カバー体で覆うことにより、前記揺動軸収容部は前記閉塞部で閉鎖されることを特徴とする遊技機用入賞装置。
【請求項２】
前記ベース体の揺動軸収容部には、前記揺動軸に対して上下方向の外側から接触する接触部が後方に向けて形成される一方、前記カバー体の閉塞部は前方へ延出して延出部を形成し、
前記延出部は、前記接触部とともに前記揺動軸に対して上下方向の外側から接触することにより、前記揺動軸の揺動軸線周りでの回転を保持する請求項１に記載の遊技機用入賞装置。
【請求項３】
請求項１または２に記載の遊技機用入賞装置が、前記揺動軸収容部の開口を後方側に位置させた状態にて前記遊技盤に固定配置されることを特徴とする遊技機。
【発明の詳細な説明】
【技術分野】
【０００１】
本発明は、遊技機用入賞装置及びそれを搭載した遊技機に関する。
【背景技術】
【０００２】
遊技機において、例えば一般に「アタッカー」として用いられる入賞装置は、左右を長手方向とする長方形状の大入賞口（入賞口）が、対応する入賞扉（回動体）により開閉可能に塞がれる構造となっている。通常、入賞扉は下縁両端部が入賞装置の前面プレート（台板）等に例えばヒンジ止めされている。このような入賞扉は、直線駆動型のソレノイド（リニアアクチュエータ）と揺動アーム（伝達部材）等の伝達機構とにより、起立して大入賞口を塞ぐ閉鎖位置（第一位置）と、その閉鎖位置から手前側（遊技者側）に倒伏して大入賞口を開く開放位置（第二位置）との間で回動変位する。
【０００３】
このような入賞装置では、主要部（ソレノイド、揺動アーム等）が、組立性を考慮して上下のケース体に分割形成されたケーシングに収容される場合がある。その際、開閉第二リンク（揺動アーム）の軸部（揺動軸）を本体ケース（下側ケース体）に形成された軸受部によって保持する構造が開示されている（特許文献１参照）。
【０００４】
【特許文献１】特許第４０１７８２０号公報
【０００５】
特許文献１に示すような入賞装置においては、ソレノイドと開閉第二リンク等の伝達機構とを接続し、開閉第二リンクの軸部を本体ケースの軸受部（底壁部、前方壁部及び後方壁部で囲まれた収容空間）に上方から挿入し軸受部（底壁部）に載置することによって、組み付け作業を容易に行うことができる。ところで、ソレノイドのプランジャ（駆動部材）は、非通電時（組立時を含む）には圧縮コイルばね（付勢部材）によって突出位置に付勢されている。したがって、例えば組立作業に不慣れなために、開閉第二リンクの軸部が圧縮コイルばねの付勢力により軸受部から外れたり浮き上がったりした状態で組み付けられると、軸部の損傷や開閉第二リンクの誤作動を引き起こすおそれが懸念されている。
【発明の開示】
【発明が解決しようとする課題】
【０００６】
本発明の課題は、揺動軸収容部への組立性を向上させることによって、揺動軸の組付不良を起こしにくく、揺動軸の損傷や伝達部材の誤作動を引き起こしにくい遊技機用入賞装置とそれを用いた遊技機を提供することにある。
【課題を解決するための手段及び発明の効果】
【０００７】
上記課題を解決するために、本発明の遊技機用入賞装置は、
遊技盤と平行状で左右方向に延びる回動軸線周りで回動可能に配置され、入賞口を閉鎖する閉鎖位置とその入賞口を開放する開放位置とに変位可能な入賞扉と、プランジャが前方側の突出位置と後方側の後退位置とに直線的に変位することにより、前記入賞扉を前記閉鎖位置と開放位置とに変位させる直線駆動型のソレノイドと、前記プランジャを前記突出位置に付勢する付勢部材と、前記入賞扉とソレノイドとの間に配置され、前記回動軸線と平行な揺動軸線周りで揺動して前記プランジャの直線的な移動を前記入賞扉の回動に変換し伝達する伝達部材と、を備える遊技機用入賞装置において、
少なくとも前記ソレノイドと伝達部材とを収容するためのベース体と、そのベース体を上下いずれかの方向から覆うカバー体とを含むケーシングを備え、
前記ベース体には、前記伝達部材と一体的に形成された揺動軸を受け入れるために前記遊技盤への取付状態にて後方側に開口する袋状の揺動軸収容部が形成され、
前記揺動軸は、後方側の開口から挿入され前記付勢部材の付勢力によって前記揺動軸収容部に収容保持され、
前記カバー体には前記揺動軸収容部の開口を塞ぐための閉塞部が形成され、
前記揺動軸を挿入後、前記ベース体を前記カバー体で覆うことにより、前記揺動軸収容部は前記閉塞部で閉鎖されることを特徴とする。
【０００８】
このような遊技機用入賞装置において、後方側に開口する袋状（ポケット状）の揺動軸収容部は、伝達部材（例えば揺動アーム）と一体的に形成された揺動軸を後方から挿入して収容保持可能な揺動軸収容空間を構成する。したがって、揺動軸を後方の開口から挿入すれば、付勢部材（例えば圧縮コイルばね）の付勢力により揺動軸が揺動軸収容部から外れたり浮き上がったりすることがなく、むしろ付勢力を利用して揺動軸収容部への揺動軸の取り付けが円滑に行える。このように、揺動軸収容部への組立性を向上させることができ、揺動軸の組付不良が起こりにくくなるので、揺動軸の損傷や伝達部材の誤作動も発生しにくくなる。
【０００９】
例えば、ベース体を下側ケース体、カバー体を上側ケース体でそれぞれ構成するとき、
下側ケース体には、伝達部材と一体的に形成された揺動軸を受け止めるために前後に延びる底壁部と、その底壁部の前端部から上方に立ち上がる前方壁部と、その前方壁部の上端部から後方へ庇状に延出する突出壁部とが一体的に形成され、
これらの底壁部、前方壁部及び突出壁部によって囲まれる袋状の空間（揺動軸収容部）は、揺動軸を後方から挿入して収容保持可能な揺動軸収容空間を構成することができる。
【００１０】
つまり、前後に延びる底壁部と、その底壁部の前端部から上方に立ち上がる前方壁部と、その前方壁部の上端部から後方へ庇状に（かつ底壁部と平行状に）延出する突出壁部とが一体的に形成されているので、揺動軸を後方から揺動軸収容部（袋状（ポケット状）の空間）に挿入して収容保持することができる。このように、庇状の突出壁部に揺動軸を潜り込ませることによって、付勢部材の付勢力による揺動軸の外れや浮き上がりが防止され、揺動軸収容部への揺動軸の組み立てが容易になる。
【００１１】
また、揺動軸収容部と閉塞部とにより、閉鎖状の揺動軸収容空間が形成されるので、挿入した揺動軸のがたつきを抑制してその回転（揺動）を保持し、伝達部材や入賞扉を円滑に作動させることができる。例えば、上記閉塞部は、上側ケース体に一体的に形成され、前方壁部と対向して平行状に延びる後方壁部で構成してもよい。
【００１２】
このとき、ベース体の揺動軸収容部には、揺動軸に対して上下方向の外側から接触する接触部が後方に向けて形成される一方、カバー体の閉塞部は前方へ延出して延出部を形成し、
延出部は、接触部とともに揺動軸に対して上下方向の外側から接触することにより、揺動軸の揺動軸線周りでの回転を保持することができる。
【００１３】
延出部と接触部とによって、揺動軸の回転（揺動）が一層確実に保持できる。また、接触部が片持ち状に後方へ延出する場合であっても、接触部の強度を延出部で補うことができる。これらによって、伝達部材を長期にわたり円滑に回転（揺動）させることができる。例えば、上記接触部を前方壁部の上端部から後方へ庇状に延出する突出壁部で構成し、上記延出部を後方壁部から前方へ延出する天井壁部で構成してもよい。
【００１４】
また、以上に述べたような遊技機用入賞装置は、
遊技盤と平行状で左右方向に延びる回動軸線周りで回動可能に配置され、入賞口を閉鎖する閉鎖位置とその入賞口を開放する開放位置とに変位可能な入賞扉と、プランジャが前方側の突出位置と後方側の後退位置とに直線的に変位することにより、前記入賞扉を前記閉鎖位置と開放位置とに変位させる直線駆動型のソレノイドと、前記プランジャを前記突出位置に付勢する付勢部材と、前記入賞扉とソレノイドとの間に配置され、前記回動軸線と平行な揺動軸線周りで揺動して前記プランジャの直線的な移動を前記入賞扉の回動に変換し伝達する伝達部材と、を備える遊技機用入賞装置において、
少なくとも前記ソレノイドと伝達部材とを収容するためのベース体と、そのベース体を上下いずれかの方向から覆うカバー体とを含むケーシングを備え、
前記伝達部材と一体的に形成された揺動軸には、前方に向かって周方向に所定範囲で切り欠かれた扇状の切欠部が形成され、
前記ベース体には、前記揺動軸を受け入れるために後方側に開口するとともに、前記揺動軸の切欠部と係合するために後方に向けて突出する係合部を有する袋状の揺動軸収容部が形成され、
前記カバー体には、前記揺動軸収容部の開口を塞ぐための閉塞部と、閉塞部から前方へ延出した延出部とが形成され、
前記揺動軸が後方側の開口から挿入され前記付勢部材の付勢力によって前記揺動軸収容部に収容保持された後、前記ベース体を前記カバー体で覆うことによって前記揺動軸収容部が前記閉塞部で閉鎖されたとき、前記延出部が上下方向の段差を有して前記係合部の外側に位置することにより、前記揺動軸は前記揺動軸収容部内を前記延出部に沿って前後移動し、その切欠部が前記係合部と係合・離脱可能であってもよい。
【００１５】
このような遊技機用入賞装置においても、後方側に開口する袋状（ポケット状）の揺動軸収容部は、伝達部材（例えば揺動アーム）と一体的に形成された揺動軸を後方から挿入して収容保持可能な揺動軸収容空間を構成する。したがって、揺動軸を後方の開口から挿入すれば、付勢部材（例えば圧縮コイルばね）の付勢力により揺動軸が揺動軸収容部から外れたり浮き上がったりすることがなく、むしろ付勢力を利用して揺動軸収容部への揺動軸の取り付けが円滑に行える。このように、揺動軸収容部への組立性を向上させることができ、揺動軸の組付不良が起こりにくくなるので、揺動軸の損傷や伝達部材の誤作動も発生しにくくなる。また、揺動軸収容部と閉塞部とにより、閉鎖状の揺動軸収容空間が形成されるので、挿入した揺動軸のがたつきを抑制してその前後移動及び回転（揺動）を保持し、伝達部材や入賞扉を円滑に作動させることができる。しかも、揺動軸が揺動軸収容部内を延出部に沿って前後移動し、切欠部が係合部と係合・離脱可能であることによって、伝達部材や入賞扉を全体的に縮小しなくても、伝達部材（の揺動軸線）が前後移動することにより、伝達部材の前後方向長さ（全長）が同等でも入賞扉の回動角を大きくでき、あるいは入賞扉の回動角が同等でも伝達部材の全長を短くできるから、入賞装置の構造を小型化することが容易となる。
【００１６】
例えば、ベース体を下側ケース体、カバー体を上側ケース体でそれぞれ構成するとき、
下側ケース体には、伝達部材と一体的に形成された揺動軸を受け止めるために前後に延びる底壁部と、その底壁部の前端部から上方に立ち上がる前方壁部と、その前方壁部の上端部から後方へ庇状に延出する突出壁部とが一体的に形成される一方、
上側ケース体には、前方壁部と対向して平行状に延びる後方壁部と、その後方壁部から前方へ延出し突出壁部に上方から近接又は接触してその突出壁部との間に上下の段差を形成する天井壁部とが一体的に形成され、
これらの底壁部、前方壁部、突出壁部、後方壁部及び天井壁部によって囲まれる閉鎖状の空間は、揺動軸を後方から下側ケース体に挿入した後、上側ケース体を被せることにより、底壁部上を前後に摺動しかつ揺動軸線周りで揺動する形態で、揺動軸を収容保持可能な揺動軸収容空間を構成することができる。
【００１７】
そして、このような遊技機用入賞装置では、揺動軸の切欠部と揺動軸収容部の係合部との間には、揺動軸の前後方向の移動を許容しつつ揺動軸線周りでの揺動を阻止する揺動阻止部と、揺動軸の揺動軸線周りでの揺動を許容しつつ前後方向の移動を阻止する移動阻止部とを形成することができる。
【００１８】
このように、揺動軸の切欠部は、プランジャの駆動力を入賞扉へ的確に伝達するとともに、外力による入賞扉の不正開放を阻止するロック部として円滑に機能する。また、切欠部と係合部との間に、揺動阻止部と移動阻止部とを形成することによって、ロック機構の構成が簡素化され、入賞装置の簡素化・小型化とともに、部品点数や組立工数を減少させて製造コストの削減を図ることができる。
【００１９】
また、延出部は、揺動軸に対して上下方向の外側から接触することにより、揺動軸収容部内において揺動軸の前後方向への移動と揺動軸線周りでの回転とを保持することができる。
【００２０】
延出部によって、揺動軸の前後移動と回転（揺動）とが一層確実に保持できる。また、揺動軸の切欠部と係合する係合部が片持ち状に後方へ延出する場合であっても、係合部の強度を延出部で補うことができる。これらによって、伝達部材を長期にわたり円滑に前後移動及び回転（揺動）させることができる。
【００２１】
そこで、上記課題を解決するために、本発明の遊技機は、
以上のような遊技機用入賞装置が、揺動軸収容部の開口を後方側に位置させた状態にて遊技盤に固定配置されることを特徴とする。
【００２２】
このように、揺動軸収容部への組立性を向上させることによって、揺動軸の組付不良を起こしにくく、揺動軸の損傷や伝達部材（例えば揺動アーム）の誤作動を引き起こしにくい入賞装置を提供することができ、興趣に富む盤面構成を有する遊技機を容易に実現することができる。
【発明を実施するための最良の形態】
【００２３】
（実施例１）
以下、本発明の実施の形態を図面を参照しつつ説明する。図１は本発明に係る遊技機用入賞装置（以下、単に入賞装置ともいう）を備えたパチンコ機を例示する正面図、図２は本発明に係る入賞装置の一例を示す全体斜視図、図３は台板を省略するとともに一部分解して示す斜視図、図４はその主要部を分解して示す斜視図、図５は図３の側面断面図である。図１に示すように、パチンコ機１（遊技機）の遊技盤２の盤面（前面）には、ほぼ左半周が内外２本の発射レール２ｂによって区画され、全体として円形の遊技領域２ａが形成されている。遊技領域２ａの中央には液晶表示部３が搭載され、液晶表示部３の下方（遊技領域２ａの中央下部）に大入賞装置４（入賞装置）が配置されている。また、液晶表示部３と大入賞装置４との間には、電動チューリップ（電チュー）にて構成される始動入賞装置７が配置されている。
【００２４】
この大入賞装置４は、高分子材料（例えばＡＢＳ樹脂等の合成樹脂）製の台板５によって遊技盤２に固定されている。この台板５は、厚さ方向（前後方向）に貫通形成されるとともに、遊技領域２ａにおける流下方向を上下方向としその交差（例えば直交）方向である左右方向を長手方向として開口する矩形状の大入賞口５ａ（入賞口）を有する（図２参照）。したがって、発射レール２ｂから打ち出された遊技球（図示せず）は、遊技盤２の盤面上に形成された遊技領域２ａから大入賞口５ａを通過して後方側の入賞領域４ａへ導入される（図７参照）。
【００２５】
本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者側（手前側）が前方側であり、その反対側（奥側）が後方側となる。
【００２６】
図２において、大入賞装置４を構成する台板５（図１参照）の後面（裏面）には、高分子材料（例えば例えばポリカーボネート（ＰＣ）等の合成樹脂）製のケーシング６（固定側部材）が取り付けられている。ケーシング６は上側ケース体６Ｕ（カバー体）と下側ケース体６Ｄ（ベース体）とから構成され、両ケース体６Ｕ，６Ｄが一体化されるとともに、いずれか一方のケース体（例えば下側ケース体６Ｄ）が台板５に固定されている。
【００２７】
図３に示すように、大入賞装置４は、大入賞口５ａ（図２参照）に対応して配置される入賞扉１０と、前後方向でプランジャ２１（駆動部材；図５参照）が直線的に変位するように配置される直線駆動型のソレノイド２０（リニアアクチュエータ）と、入賞扉１０とソレノイド２０との間に配置されプランジャ２１の駆動力を入賞扉１０に伝達する伝達機構５０とを備えている。そして、大入賞装置４の主要部をなす入賞扉１０，ソレノイド２０，伝達機構５０は、ケーシング６に収容・載置されている。なお、ケーシング６には、大入賞装置４への入賞球を検知するための近接スイッチ（入賞球検出器）、大入賞装置４の内部を照明するための発光基板等も収容されているが、いずれも図示を省略した。
【００２８】
図２及び図３に示すように、入賞扉１０は、正面視において左右方向が長手方向となる矩形状の板状形態をなし、大入賞口５ａを塞いでいる。具体的には、入賞扉１０は、大入賞口５ａに対応して前方側が開放された上側ケース体６Ｕの前端部に配置され、遊技盤２（図１参照）と平行状で大入賞口５ａの下辺に沿って延びる回動軸線Ｏ１周りに回動可能に下側ケース体６Ｄに軸支されている。なお、入賞扉１０を台板５に軸支する形態としてもよい。このようにして入賞扉１０は、遊技盤２に沿って起立することにより大入賞口５ａを閉鎖して遊技球の入賞領域４ａへの導入を不能とする閉鎖位置（第一位置；図６参照）と、遊技領域２ａ（図１参照）へ交差状に突出することにより大入賞口５ａを開放して遊技球の入賞領域４ａへの導入を可能とする開放位置（第二位置；図７参照）とに回動変位する。
【００２９】
入賞扉１０は、両側部下端に回動軸線Ｏ１に沿って左右に各々突出する回動軸１１，１１を有しており、この回動軸１１，１１が下側ケース体６Ｄに回転可能に支持されている（図６，図７参照）。なお、回動軸１１，１１の代わりに軸孔を形成して下側ケース体６Ｄ又は台板５側から軸支する形態としてもよい。また、入賞扉１０は、両側部で後方に延出する側壁部１２，１２が形成され、遊技者側から見て左側（一端部側）の側壁部１２の後端部には、丸軸状の突起部１３が左側端面から外側に向けて回動軸線Ｏ１と平行状に突出形成されている（図６，図７参照）。後述するように、突起部１３は伝達機構５０（後述する揺動アーム４０）からの作用を受ける被作用部を構成する。
【００３０】
図５に示すように、ソレノイド２０は、入賞扉１０の左側端部において前後方向に配置され、ソレノイドケース２９から突出する前端部にヘッド部２２が形成されたプランジャ２１と、ソレノイドケース２９と後述するヘッドカバー３０との間に介装された圧縮コイルばね２３（付勢部材）とを有する。ソレノイド２０は、ヘッド部２２を前方側の突出位置（図６参照）と後方側の後退位置（図７参照）とでそれぞれ保持することにより、入賞扉１０を回動軸線Ｏ１周りで回動して閉鎖位置（図６参照）と開放位置（図７参照）とに変位させる。具体的には、通常状態ではソレノイド２０は消磁され、圧縮コイルばね２３がプランジャ２１を突出位置に向けて付勢し、入賞扉１０を閉鎖位置に保持する（変位させる）。一方、大当たり状態ではソレノイド２０は励磁され、圧縮コイルばね２３の付勢力に抗してプランジャ２１が後退位置に移動し、入賞扉１０を開放位置に保持する（変位させる）。
【００３１】
なお、符号２４は、圧縮コイルばね２３とともにプランジャ２１に挿通されたとき、ヘッドカバー３０側でその圧縮コイルばね２３を受けることのできるばね受け部材（例えば座金）を示す。この座金２４が圧縮コイルばね２３の付勢力をヘッドカバー３０の外面で受け止めることによって、後述するヘッドカバー３０に形成された保持部３３に圧縮コイルばね２３が侵入できなくなる。これにより、保持部３３はプランジャ２１のヘッド部２２と座金２４とで確実に保持される。
【００３２】
次に、伝達機構５０は、入賞扉１０の左側端部においてプランジャ軸線Ｏ３（駆動部材の移動軸線）方向に沿って前後方向に配置されている。この伝達機構５０は、プランジャ２１のヘッド部２２に取り付けられ、ヘッド部２２と一体的に前後移動するヘッドカバー３０（連結部材）と、入賞扉１０の回動軸線Ｏ１よりも後方においてその回動軸線Ｏ１と平行状に配置された揺動軸線Ｏ２周りで揺動する（図６，図７参照）とともに、ヘッドカバー３０と係合する揺動アーム４０（伝達部材）とを有する。揺動アーム４０は、ソレノイド２０のプランジャ２１のヘッド部２２が突出位置に変位したとき入賞扉１０を閉鎖位置に変位させ（図６参照）、プランジャ２１のヘッド部２２が後退位置に変位したとき入賞扉１０を開放位置に変位させるように（図７参照）、プランジャ２１の駆動力をヘッドカバー３０を介して入賞扉１０へ伝達する。なお、揺動軸線Ｏ２はプランジャ軸線Ｏ３と直交していてもよい（図６，図７参照）。
【００３３】
図４に示すように、ヘッドカバー３０は、長孔状凹部３２で揺動アーム４０の両側面にそれぞれ一体成形された筒状揺動軸４２（揺動軸）を摺動案内しつつ（図６，図７参照）、揺動軸線Ｏ２（筒状揺動軸４２）と平行状に突出する係合ピン３１が、後述する第一アーム４０ａの第一切欠状凹部４１に挿入（配置）されるとともに、保持部３３がプランジャ２１のヘッド部２２に保持されている（図５参照）。
【００３４】
揺動アーム４０は、屈曲形状に形成され、ヘッドカバー３０と接続可能な第一アーム４０ａ（第一揺動部）と、回動軸線Ｏ１よりも後方で入賞扉１０に当接（係合）可能な第二アーム４０ｂ（第二揺動部）とを含む（図６，図７参照）。具体的には、第一アーム４０ａには、外周縁の一部を除去して第一切欠状凹部４１が上方側に開放形成されている。そして、第一切欠状凹部４１がヘッドカバー３０から突出する係合ピン３１に係合することにより、第一アーム４０ａ（揺動アーム４０）は、筒状揺動軸４２（揺動軸線Ｏ２）周りでの揺動変位が可能である。一方、第二アーム４０ｂには、外周縁の一部を除去して第二切欠状凹部４３が前方側に開放形成されている。第二切欠状凹部４３は、回動軸線Ｏ１よりも後方側で側壁部１２の突起部１３に係合することにより、入賞扉１０を閉鎖位置（図６参照）又は開放位置（図７参照）に維持可能である。
【００３５】
図３〜図５に表されているように、下側ケース体６Ｄには、筒状揺動軸４２を受け入れるために前後に水平状に延びる底壁部６０と、底壁部６０の前端部から垂直上方に立ち上がる前方壁部６１と、前方壁部６１の上端部から後方へ庇状にかつ底壁部６０と平行状に延出する突出壁部６２（接触部）とが一体成形されている。これら底壁部６０、前方壁部６１及び突出壁部６２は、筒状揺動軸４２が収容される袋状（ポケット状）の揺動軸収容部を構成している。一方、上側ケース体６Ｕには、前方壁部６１と対向して平行状に延びる後方壁部６３（閉塞部）と、後方壁部６３から前方へ底壁部６０と平行状に延出する天井壁部６４（延出部）とが一体成形されている。上記した底壁部６０、前方壁部６１、突出壁部６２、後方壁部６３及び天井壁部６４によって、筒状揺動軸４２を囲む閉鎖状の揺動軸収容空間Ｓが左右一対形成される。なお、突出壁部６２の下面と天井壁部６４の下面とは、揺動軸線Ｏ２方向から見て面一状に配置され、筒状揺動軸４２に上方から接触して揺動アーム４０の回転（揺動）を保持している。
【００３６】
そして、伝達機構５０の揺動アーム４０をケーシング６に組み付けるには、下側ケース体６Ｄに形成された揺動軸収容部の後方開口から筒状揺動軸４２を庇状の突出壁部６２に潜り込ませるように挿入して、袋状（ポケット状）の揺動軸収容空間Ｓに収容する。このとき、圧縮コイルばね２３の付勢力により揺動アーム４０が前方に付勢されるので、筒状揺動軸４２は前方壁部６１に当接して揺動軸収容部に収容保持される。その後、上側ケース体６Ｕを被せることにより、揺動軸収容部は後方壁部６３で閉鎖され、揺動アーム４０がケーシング６に組み付けられる。このとき、筒状揺動軸４２は閉鎖状の揺動軸収容空間Ｓに収容保持されている。
【００３７】
このように、庇状の突出壁部６２に筒状揺動軸４２を潜り込ませることによって、圧縮コイルばね２３の付勢力による筒状揺動軸４２の外れや浮き上がりが防止され、揺動軸収容部（揺動軸収容空間Ｓ）への組立性を向上させることができる。よって、筒状揺動軸４２の組付不良が起こりにくくなるので、筒状揺動軸４２の損傷や揺動アーム４０の誤作動も発生しにくくなる。また、筒状揺動軸４２を後方から下側ケース体６Ｄの揺動軸収容部（袋状空間）に挿入した後上側ケース体６Ｕを被せることにより、揺動軸収容部が後方壁部６３で閉鎖される（閉鎖状の揺動軸収容空間Ｓが形成される）ので、挿入した筒状揺動軸４２のがたつきを抑制してその回転（揺動）を保持し、揺動アーム４０や入賞扉１０を円滑に作動させることができる。さらに、天井壁部６４は、突出壁部６２とともに筒状揺動軸４２に上方から接触するので、筒状揺動軸４２の回転（揺動）を一層確実に保持できるとともに、突出壁部６２の強度を補って揺動アーム４０を長期にわたり円滑に回転（揺動）させることができる。
【００３８】
次に、図６及び図７を用いて、以上のような構成を有する大入賞装置４の作動について説明する。
【００３９】
＜通常状態＝閉鎖位置＞（図６）
通常状態（非大当たり状態）では、ソレノイド２０が消磁され、圧縮コイルばね２３がプランジャ２１を突出位置に向けて付勢し、入賞扉１０を閉鎖位置に保持する。具体的には、ソレノイド２０のプランジャ２１が後退位置（図７）から突出位置（図６）へ前進変位するとき、ヘッドカバー３０の係合ピン３１が長孔状凹部３２とともに前進し、筒状揺動軸４２（揺動軸線Ｏ２）は揺動軸収容空間Ｓ内において図７で時計回り（破線矢印方向）に回転する。これによって、入賞扉１０は回動軸線Ｏ１を中心に図７で反時計回り（破線矢印方向）に回転し、大入賞口５ａが閉鎖される。
【００４０】
＜大当たり状態＝開放位置＞（図７）
大当たり状態ではソレノイド２０が励磁され、圧縮コイルばね２３の付勢力に抗してプランジャ２１が後退位置に移動し、入賞扉１０を開放位置に保持する。具体的には、プランジャ２１が突出位置（図６）から後退位置（図７）へ後退変位するとき、係合ピン３１が長孔状凹部３２とともに後退し、筒状揺動軸４２（揺動軸線Ｏ２）は揺動軸収容空間Ｓ内において図７で反時計回り（実線矢印方向）に回転する。これによって、入賞扉１０は回動軸線Ｏ１を中心に図７で時計回り（実線矢印方向）に回転し、大入賞口５ａが開放されるので、遊技領域２ａを流下する遊技球は入賞領域４ａに導入されるようになる。
【００４１】
（実施例２）
図８は入賞装置の他の例について、台板を省略するとともに一部分解して示す斜視図、図９はその主要部を分解して示す斜視図、図１０は図８の側面断面図である。図８に示す大入賞装置１０４（遊技機用入賞装置）においても、ケーシング６（固定側部材）は上側ケース体６Ｕ（カバー体）と下側ケース体６Ｄ（ベース体）とから構成され、両ケース体６Ｕ，６Ｄが一体化されるとともに、いずれか一方のケース体（例えば下側ケース体６Ｄ）が台板５（図２参照）に固定されている。図８及び図９に示すように、大入賞装置１０４は、入賞扉１０と、直線駆動型のソレノイド２０（リニアアクチュエータ）と、伝達機構１５０とを備え、伝達機構１５０は、ヘッドカバー３０（連結部材）と、揺動アーム１４０（伝達部材）とを有する。
【００４２】
図１０に示すように、ケーシング６には、揺動アーム１４０の両側面にそれぞれ一体成形された筒状揺動軸１４２（揺動軸）を収容するために、上側ケース体６Ｕ又は下側ケース体６Ｄから一体的に延出する壁部によって周囲を囲まれた揺動軸収容空間Ｓ，Ｓが、左右方向に対向配置されて一対形成されている。また、ケーシング６（上側ケース体６Ｕ及び下側ケース体６Ｄ）と揺動アーム１４０との間にはロック機構が備えられている。
【００４３】
下側ケース体６Ｄには、筒状揺動軸１４２を受け入れるために前後に水平状に延びる底壁部１６０（摺動部）と、底壁部１６０の前端部から垂直上方に立ち上がる前方壁部１６１と、前方壁部１６１の上端部から後方へ庇状にかつ底壁部１６０と平行状に延出する係合壁部１６２（係合部）とが一体成形され、揺動軸収容部を構成している。また、上側ケース体６Ｕには、前方壁部１６１と対向して平行状に延びる後方壁部１６３（閉塞部）と、後方壁部１６３から前方へ底壁部１６０と平行状に延出する天井壁部１６４（延出部）とが一体成形されている。
【００４４】
揺動軸収容部を構成する係合壁部１６２は、前方壁部１６１の上端部から後方へ庇状に水平に延出している。係合壁部１６２の先端面（後端面）には、揺動アーム１４０の揺動軸線Ｏ２周りでの揺動を許容しつつ前方移動を阻止するために、所定方向（例えば鉛直方向）に移動阻止面１６２ｘ（移動阻止部；ロック機構）が形成されている。一方、係合壁部１６２の下面には、揺動アーム１４０の前後方向の移動を許容しつつ揺動軸線Ｏ２周りでの揺動を阻止するために、所定方向（例えば水平方向）に揺動阻止面１６２ｙ（揺動阻止部；ロック機構）が形成されている。
【００４５】
さらに、筒状揺動軸１４２（揺動軸線Ｏ２）の軸線方向両端部（係合壁部１６２と接触する範囲）には、周方向に所定角度（例えば９０°）で切り欠かれた円弧状（扇状）の切欠部１４２ａ（ロック部；ロック機構）が形成されている。切欠部１４２ａは、係合壁部１６２の移動阻止面１６２ｘと係合する第一当接面１４２ｘ（移動阻止部；ロック機構）と、揺動阻止面１６２ｙと係合する第二当接面１４２ｙ（揺動阻止部；ロック機構）とを有する。移動阻止面１６２ｘと揺動阻止面１６２ｙとのなす角は、第一当接面１４２ｘと第二当接面１４２ｙとのなす角に等しく（例えば９０°）設定されている。なお、係合壁部１６２の下面（揺動阻止面１６２ｙ）は天井壁部１６４の下面よりも下方に位置して、上下方向の段差を形成している。また、天井壁部１６４の下面は、筒状揺動軸１４２に上方から接触して、筒状揺動軸１４２の前後方向への移動と揺動軸線Ｏ２周りでの回転（揺動）とを保持している。
【００４６】
この場合にも、揺動アーム１４０をケーシング６に組み付けるには、筒状揺動軸１４２を、底壁部１６０、前方壁部１６１及び係合壁部１６２によって形成される袋状（ポケット状）の揺動軸収容部に（庇状の係合壁部１６２に潜り込ませるようにして、）後方側の開口から挿入する。そして筒状揺動軸１４２の挿入後、上側ケース体６Ｕを被せることにより、揺動軸収容部は後方壁部１６３で閉鎖される。このようにして、底壁部１６０、前方壁部１６１、係合壁部１６２、後方壁部１６３及び天井壁部１６４によって囲まれ、筒状揺動軸１４２を前後移動及び揺動可能に収容する閉鎖状の揺動軸収容空間Ｓが左右一対形成される。
【００４７】
このように、揺動軸収容部と後方壁部１６３とにより、さらには天井壁部１６４によって、筒状揺動軸１４２の前後移動と回転（揺動）とが確実に保持できる。さらに、揺動軸収容空間Ｓにおいて、筒状揺動軸１４２が底壁部１６０上を前後に摺動しかつ揺動軸線Ｏ２周りで揺動することによって、揺動アーム１４０や入賞扉１０を全体的に縮小しなくても、大入賞装置１０４の構造を小型化できる。また、切欠部１４２ａの第一当接面１４２ｘが係合壁部１６２の移動阻止面１６２ｘと係合し、第二当接面１４２ｙが揺動阻止面１６２ｙと係合することによって、ロック機構の構成が簡素化され、大入賞装置１０４の簡素化・小型化と、部品点数や組立工数の減少により、製造コストを削減できる。
【００４８】
次に、図１１〜図１３を用いて、以上のような構成を有する大入賞装置１０４の作動について説明する。
【００４９】
＜通常状態＝閉鎖位置＞（図１３）
通常状態（非大当たり状態）では、ソレノイド２０が消磁され、圧縮コイルばね２３がプランジャ２１を突出位置に向けて付勢し、入賞扉１０を閉鎖位置に保持する。具体的には、ソレノイド２０のプランジャ２１が後退位置（図１３）から中間位置（図１２）へ前進変位するとき、ヘッドカバー３０の係合ピン３１が揺動アーム１４０の第一切欠状凹部４１を前進させようとするが、揺動アーム１４０（筒状揺動軸１４２）は係合壁部１６２の移動阻止面１６２ｘで前方への移動を阻止されているため、後方壁部１６３において揺動軸線Ｏ２を中心に図１３で時計回り（破線矢印方向）に回転する。これによって、入賞扉１０は回動軸線Ｏ１を中心に図１３で反時計回り（破線矢印方向）に回転し、大入賞口５ａが閉鎖される。
【００５０】
続いてプランジャ２１が中間位置（図１２）から突出位置（図１１）へ前進変位するとき、係合ピン３１が第一切欠状凹部４１を前進させるので、揺動アーム１４０の筒状揺動軸１４２は、切欠部１４２ａの第一当接面１４２ｘが移動阻止面１６２ｘに当接するまでヘッドカバー３０の長孔状凹部３２とともに天井壁部１６４及び底壁部１６０に沿って図１２で前方（破線矢印方向）に移動して、ロック機構が作動する。
【００５１】
＜大当たり状態＝開放位置＞（図１３）
大当たり状態ではソレノイド２０が励磁され、圧縮コイルばね２３の付勢力に抗してプランジャ２１が後退位置に移動し、入賞扉１０を開放位置に保持する。具体的には、プランジャ２１が突出位置（図１１）から中間位置（図１２）へ後退変位するとき、係合ピン３１が第一切欠状凹部４１を後退させるので、筒状揺動軸１４２は、後方壁部１６３に当接するまで長孔状凹部３２とともに天井壁部１６４及び底壁部１６０に沿って図１２で後方（実線矢印方向）に移動して、ロック機構が解除される。
【００５２】
続いてプランジャ２１が中間位置（図１２）から後退位置（図１３）へ後退変位するとき、係合ピン３１が第一切欠状凹部４１を後退させようとするが、筒状揺動軸１４２は後方壁部１６３で後方への移動を阻止（停止）されているため、揺動軸線Ｏ２を中心に図１３で反時計回り（実線矢印方向）に回転する。これによって、入賞扉１０は回動軸線Ｏ１を中心に図１３で時計回り（実線矢印方向）に回転し、大入賞口５ａが開放されるので、遊技領域２ａを流下する遊技球は入賞領域４ａに導入されるようになる。
【００５３】
＜ロック状態＝閉鎖位置＞（図１１）
入賞扉１０を閉鎖位置（図１１）から開放位置（図１３）へ回動変位させようとする外力が入賞扉１０に加えられたとき、切欠部１４２ａの第二当接面１４２ｙと係合壁部１６２の揺動阻止面１６２ｙ（図１０参照）とによって、揺動アーム１４０が揺動軸線Ｏ２を中心に図１１で反時計回りに回転するのを阻止（ロック）している。これによって、入賞扉１０は閉鎖位置に維持される。
【００５４】
なお、実施例２（図８〜図１３）において実施例１（図２〜図７）と共通する機能を有する部分にはそれぞれ同一符号を付して説明を省略する。
【図面の簡単な説明】
【００５５】
【図１】本発明に係る入賞装置を備えたパチンコ機を例示する正面図。
【図２】本発明に係る入賞装置の一例を示す全体斜視図。
【図３】図２の台板を省略するとともに一部分解して示す斜視図。
【図４】図３の主要部を分解して示す斜視図。
【図５】図３の側面断面図。
【図６】図５で入賞扉が閉鎖位置にあるときの作動説明側面図。
【図７】同じく入賞扉が開放位置にあるときの作動説明側面図。
【図８】入賞装置の他の例について、台板を省略するとともに一部分解して示す斜視図。
【図９】図８の主要部を分解して示す斜視図。
【図１０】図８の側面断面図。
【図１１】図１０で入賞扉が閉鎖位置にあるときの作動説明側面図。
【図１２】同じく入賞扉が中間位置にあるときの作動説明側面図。
【図１３】同じく入賞扉が開放位置にあるときの作動説明側面図。
【符号の説明】
【００５６】
１        パチンコ機（遊技機）
２        遊技盤
２ａ      遊技領域
４        大入賞装置（遊技機用入賞装置）
４ａ      入賞領域
５        台板
５ａ      大入賞口（入賞口）
６        ケーシング（固定側部材）
６Ｄ      下側ケース体（ベース体）
６０      底壁部（揺動軸収容部）
６１      前方壁部（揺動軸収容部）
６２      突出壁部（接触部；揺動軸収容部）
６Ｕ      上側ケース体（カバー体）
６３      後方壁部（閉塞部）
６４      天井壁部（延出部）
１０      入賞扉
１１      回動軸
２０      直線駆動型ソレノイド（リニアアクチュエータ）
２１      プランジャ（駆動部材）
２３      圧縮コイルばね（付勢部材）
３０      ヘッドカバー（連結部材）
４０      揺動アーム（伝達部材）
４２      筒状揺動軸（揺動軸）
５０      伝達機構
１０４    大入賞装置（遊技機用入賞装置）
１４０    揺動アーム（伝達部材）
１４２    筒状揺動軸（揺動軸）
１４２ａ  切欠部（ロック部；ロック機構）
１４２ｘ  第一当接面（移動阻止部；ロック機構）
１４２ｙ  第二当接面（揺動阻止部；ロック機構）
１５０    伝達機構
１６０    底壁部（揺動軸収容部）
１６１    前方壁部（揺動軸収容部）
１６２    係合壁部（係合部；揺動軸収容部）
１６２ｘ  移動阻止面（移動阻止部；ロック機構）
１６２ｙ  揺動阻止面（揺動阻止部；ロック機構）
１６３    後方壁部（閉塞部）
１６４    天井壁部（延出部）
Ｏ１      回動軸線
Ｏ２      揺動軸線
Ｏ３      プランジャ軸線（駆動部材の移動軸線）
Ｓ        揺動軸収容空間
【図１】
0005317324.tif 000002
【図２】
0005317324.tif 000003
【図３】
0005317324.tif 000004
【図４】
0005317324.tif 000005
【図５】
0005317324.tif 000006
【図６】
0005317324.tif 000007
【図７】
0005317324.tif 000008
【図８】
0005317324.tif 000009
【図９】
0005317324.tif 000010
【図１０】
0005317324.tif 000011
【図１１】
0005317324.tif 000012
【図１２】
0005317324.tif 000013
【図１３】
0005317324.tif 000014